(57)【要約】【課題】簡単な構造で、かつ省電力でトイレ内を冷房することができるトイレットクーラーを提供する。【解決手段】熱交換器とファンとが組み付けられた本体と、水洗便所のロータンクと、ロータンク内の水中に配置される水中ポンプと、水中ポンプと熱交換器とを水が循環するように接続する給、排水チューブと、を備える。ロータンク内の水を水中ポンプを介して本体の熱交換器に循環させてファンで冷風を作り出し、トイレ内を良好に冷房することができる。【選択図】図１
0003165812.tif 000002
【実用新案登録請求の範囲】
【請求項１】
基本的には水洗便所のロ−タンクの冷水を利用循環させて冷風を作り出す。
【請求項２】
近くに井戸水または利用出来る水槽があればその水を循環水に利用することも可能とする。
【請求項３】
地下水を利用したポンプ設置の家庭では電磁弁を付けて直結してもよい。
【請求項４】
温泉地であれば冬場温水に切り替えれば暖房機としても使える。
【請求項５】
熱交換機の中に電熱ヒ−タ−を組み込めば暖房機としても利用できる。
【請求項６】
空気吸い込み口に塵埃フィルタ−と脱臭フィルタ−を装着することにより空気清浄と脱臭効果を表す。
【考案の詳細な説明】
【考案の概要】
【考案が解決しようとする課題】
【０００３】従来の冷房機器は扇風機にしても置き場所を必要とするし、本格ク−ラ−は室外機の放熱が場所的に困難を来たし、短時間の利用価値としては不向きであった。
【課題を解決するための手段】
【０００４】
【技術分野】
【０００１】本考案は、便所室内の冷房、脱臭、空気清浄の機能を持つ空調装置である。
【背景技術】
【０００２】従来便所内の冷房としては、扇風機が団扇を使用するか、一時本格的なフロンガスを冷媒とした、いわゆるエアコンの小型化したものが出現したが大電力を消費して設備費用も高価な品であったため殆ど実用化しなかった。
上記課題を解決するため本考案は、水洗便器には必ずセットされているロ−タンクの冷水容量約２０リットルをラジエ−タ−を介して循環させてファンで涼風を作り出す原理で極僅かな燃費でどの家庭でも容易に設置できる特徴を持つ。
【考案の効果】
【０００５】１）本考案はロ−タンクの水を小型水中ポンプで熱交換機内を循環させるものであるが、通常タンク内の水は真夏でも平均２０度〜２５度Ｃ程度、地下水使用なら１８度Ｃであってトイレ内の約３０数度の高温多湿の部屋は十分涼気を満たすことが出来る。
２）タンクの水は用を足す度に入れ替わるので水温が上昇することはない。
３）本機は消費電力が数１０ワットの過少なため常時運転していてもコストが安い。
４）脱臭フィルタ−面が広いので換気扇よりも脱臭能力効果がある。
【図面の簡単な説明】
【０００６】
【図１】本考案の全体図である。
【図２】熱交換部の展開図である。
【図３】ロ−タンク内部の構造である。
【図４】小型水中ポンプを示す。
【図５】熱交換機の内部構造を示す。
【図６】脱臭、麈フィルタ−の装着図を示す。
【図７】１は脱臭フィルタ−、２は集塵フィルタ−を示す。
【考案を実施するための形態】
【０００７】本考案は基本的にはロ−タンクの上壁面に本体を引き掛け式で取りつけ本体横に設けた冷水給排口（入、出）に水中ポンプの管を挿入し、ドレンパイプを設置したら主な工事は終了する。
【０００８】本体にはファンモ−タ−用の１００ＶＡＣ電源と水中ポンプ用のＤＣ１２Ｖ端子を設けてあるため、それぞれのプラグを挿入したら工事は完全に完了する。
【０００９】本体を始動させるスイッチはリモコン式でも壁スイッチでも選べる。
【符号の説明】
【００１０】１    ドレンパイプ
２    給、排水ベア−チュ−ブ
３    １００ｖ電源コ−ド
４    リモコン
５    ポンプ用ＤＣ１２ｖコ−ド
６    水中ポンプ
【符号の説明】７    吐出管
８    １２ｖ電源部
９    給、排水管接続部
１０  ファンモ−タ−
１１  シロッコファン
１２  脱臭フイルタ−
１３  集塵フイルタ−
【図１】
0003165812.tif 000003
【図２】
0003165812.tif 000004
【図４】
0003165812.tif 000005
【図５】
0003165812.tif 000006
【図６】
0003165812.tif 000007
【手続補正書】
【提出日】平成22年11月29日(2010.11.29)
【手続補正１】
【補正対象書類名】実用新案登録請求の範囲
【補正対象項目名】全文
【補正方法】変更
【補正の内容】
【実用新案登録請求の範囲】
【請求項１】
熱交換器とファンとが組み付けられた本体と、
水洗便所のロータンクと、
ロータンク内の水中に配置される水中ポンプと、
水中ポンプと熱交換器とを水が循環するように接続する給、排水チューブと、を備え、
ロータンク内の水を水中ポンプを介して本体の熱交換器に循環させてファンで冷風を作り出すことを特徴とするトイレットクーラー。
【請求項２】
本体に空気吸込み口が設けられ、空気吸込み口には脱臭フイルターを装着したことを特徴とする請求項１記載のトイレットクーラー。
【請求項３】
空気吸い込み口には集塵フイルターを装着したことを特徴とする請求項２記載のトイレットクーラー。
【手続補正２】
【補正対象書類名】明細書
【補正対象項目名】全文
【補正方法】変更
【補正の内容】
【考案の詳細な説明】
【技術分野】
【０００１】
本考案は、便所室内の冷房機能を持つ空調装置であるトイレットクーラーに関する。
【背景技術】
【０００２】
従来便所内の冷房としては、扇風機か団扇を使用するか、一時本格的なフロンガスを冷媒とした、いわゆるエアコンの小型化したものが出現したが大電力を消費して設備費用も高価な品であったため殆ど実用化しなかった。
【考案の概要】
【考案が解決しようとする課題】
【０００３】
従来の冷房機器は扇風機にしても置き場所を必要とするし、本格クーラーは室外機の放熱が場所的に困難を来たし、短時間の利用価値としては不向きであった。
【課題を解決するための手段】
【０００４】
上記課題を解決するため本考案は、熱交換器とファンとが組み付けられた本体と、水洗便所のロータンクと、ロータンク内の水中に配置される水中ポンプ６と、水中ポンプ６と熱交換器とを水が循環するように接続する給、排水チューブ２と、を備え、ロータンク内の水を水中ポンプ６を介して本体の熱交換器に循環させてファン１１で冷風を作り出すことを特徴とするトイレットクーラーから構成される。水洗便器には必ずセットされているロータンクの冷水容量約２０リットルをラジエーターを介して循環させてファンで涼風を作り出す原理で極僅かな燃費でどの家庭でも容易に設置できる特徴を持つ。
【０００５】
また、本体に空気吸込み口が設けられ、空気吸込み口には脱臭フイルターを装着したこととしてもよい。
【０００６】
また、空気吸い込み口には集塵フイルターを装着したこととしてもよい。
【考案の効果】
【０００７】
１）本考案はロータンクの水を小型水中ポンプで熱交換器内を循環させるものであるが、通常タンク内の水は真夏でも平均２０度〜２５度程度であってトイレ内の約３０数度の高温多湿の部屋は十分涼気を満たすことが出来る。
２）タンクの水は用を足す度に入れ替わるので水温が上昇することはない。
３）本機は消費電力が数十ワットの寡少なため常時運転していてもコストが安い。
４）脱臭フイルター面が広いので換気扇よりも脱臭能力効果がある。
【図面の簡単な説明】
【０００８】
【図１】本考案の全体図である。
【図２】熱交換器の展開図である。
【図３】ロータンク内部の構造である。
【図４】小型水中ポンプを示す。
【図５】熱交換器の内部構造を示す。
【図６】脱臭フイルター、集塵のフイルターの装着図を示す。
【図７】脱臭フイルター、集塵フイルターを示す。
【考案を実施するための形態】
【０００９】
本考案は基本的にはロータンクの上方の壁面に本体を引き掛け式で取りつけ本体横に設けた給、排水管接続部９（入、出）と水中ポンプ６とを給、排水ペアーチューブ２で接続し、ドレンパイプ１を設置したら主な工事は終了する。
【００１０】
本体にはファンモーター１０用のＡＣ１００Ｖ電源と水中ポンプ６用のＤＣ１２Ｖ端子を設けてあるため、それぞれのプラグを挿入したら工事は完全に完了する。
【００１１】
本体を始動させるスイッチはリモコン式でも壁スイッチでも選べる。
【００１２】
ロータンク内の水を水中ポンプ６を介して本体の熱交換器に循環させてシロッコファン１１で冷風を作り出す。空気吸い込み口に集塵フイルター１３と脱臭フイルター１２を装着することにより空気清浄と脱臭効果を表す。
【符号の説明】
【００１３】
１  ドレンパイプ
２  給、排水ペアーチューブ
３  １００Ｖ電源コード
４  リモコン
５  ポンプ用ＤＣ１２Ｖコード
６  水中ポンプ
７  吐出管
８  １２Ｖ電源部
９  給、排水管接続部
１０  ファンモーター
１１  シロッコファン
１２  脱臭フイルター
１３  集塵フイルター
【手続補正３】
【補正対象書類名】図面
【補正対象項目名】全図
【補正方法】変更
【補正の内容】
【図１】
0003165812.tif 000008
【図２】
0003165812.tif 000009
【図３】
0003165812.tif 000010
【図４】
0003165812.tif 000011
【図５】
0003165812.tif 000012
【図６】
0003165812.tif 000013
【図７】
0003165812.tif 000014